(57)【特許請求の範囲】
【請求項１】
偏平な略立方体形状を有し下部側の両端近傍部位に短辺方向に貫通穴が形成されており且つ上端面にアンカーボルトが突出しているプレキャスト基礎を綱状部材にて吊り上げる方法であって、前記プレキャスト基礎の前記貫通穴に棒状の支持部材を差し込み、各支持部材の両端に綱状部材を連結するとともに、前記アンカーボルトに嵌合することで移動規制され且つ前記綱状部材とプレキャスト基礎との間に介在することになる付加部材を設けてプレキャスト基礎を吊り上げることを特徴とするプレキャスト基礎の吊り上げ方法。
【請求項２】
請求項１に記載のプレキャスト基礎の吊り上げ方法において、前記支持部材は両切りボルトであり、この両切りボルトの両端にナット部材を装着し、前記ナット部材に前記綱状部材を連結することを特徴とするプレキャスト基礎の吊り上げ方法。
【請求項３】
偏平な略立方体形状を有し下部側の両端近傍部位に短辺方向にナット部材が埋め込まれており且つ上端面にアンカーボルトが突出しているプレキャスト基礎を綱状部材にて吊り上げる方法であって、前記ナット部材にボルト部を有する支持部材をねじ込み、各支持部材の端部に綱状部材を連結するとともに、前記アンカーボルトに嵌合することで移動規制され且つ前記綱状部材とプレキャスト基礎との間に介在することになる付加部材を設けてプレキャスト基礎を吊り上げることを特徴とするプレキャスト基礎の吊り上げ方法。
【請求項４】
請求項１乃至請求項３のいずれかに記載のプレキャスト基礎の吊り上げ方法において、前記綱状部材が接することになる前記付加部材の部位は、綱状部材に対する傷付きを防止する処置が施されていることを特徴とするプレキャスト基礎の吊り上げ方法。
【発明の詳細な説明】
【０００１】
【産業上の利用分野】
この発明は、プレキャスト基礎及びその吊り上げ方法に関する。
【０００２】
【従来の技術】
建物の基礎を施工する方法として、予め工場にて偏平な略立方体形状を成すプレキャスト基礎を作製しておき、これを現場に搬送し、一つ一つクレーンで吊り上げ、所定の配置に並べ置いて互いに連結し、この連結部位等に現場でコンクリートを打設していく方法が知られている。
【０００３】
図４（ａ）にはプレキャスト基礎５０を示し、同図（ｂ）には、プレキャスト基礎５０をワイヤー５１で吊り上げている様子を示している。プレキャスト基礎５０の上面には、アンカーボルト５０ａが突出しているので、これにアイナット５２を装着し、このアイナット５２のリング部に前記ワイヤー５１の先端部（フック等）を引っかけている。
【０００４】
【発明が解決しようとする課題】
しかしながら、プレキャスト基礎５０の上面に突出しているアンカーボルト５０ａがプレキャスト基礎５０の短辺方向中央（吊り上げ重心：一点鎖線参照）から僅かにずれているだけで、このプレキャスト基礎５０を吊り上げたときに、図４（ｂ）において仮想線で示すように、傾いてしまう。また、アイナット５２の位置を支点にプレキャスト基礎５０が揺れ動くため、プレキャスト基礎５０を所定位置に据え置くことがやりづらくなるという不満がある。
【０００５】
この発明は、上記の事情に鑑み、所定位置に据え置くことが容易に行えるプレキャスト基礎及びその吊り上げ方法を提供することを目的とする。
【０００６】
【課題を解決するための手段】
この発明のプレキャスト基礎は、上記の課題を解決するために、偏平な略立方体形状をなすプレキャスト基礎であって、下部側の両端近傍部位に短辺方向に貫通穴が形成されていることを特徴とする。そして、この発明のプレキャスト基礎の吊り上げ方法は、上記プレキャスト基礎の前記貫通穴に棒状の支持部材を差し込み、各支持部材の両端に綱状部材を連結してプレキャスト基礎を吊り上げることを特徴とする。
【０００７】
上記の構成であれば、プレキャスト基礎はその下部側の両端近傍部位に位置する支持部材にて持ち上げられるように吊り上げられるため、その上面にて吊り上げる場合の傾きや揺れ動きを防止できることになり、しかも、プレキャスト基礎はその両側においてそれぞれ綱状部材にて挟まれて安定的に支持されることになるから、当該プレキャスト基礎を所定位置にきっちりと据え置くことが容易になり、作業時間の短縮化が図れる。また、貫通穴はプレキャスト基礎の下部側にあるため、プレキャスト基礎の据置後に断面Ｔ字状基礎とするために補填されるコンクリートにて隠されることになり、基礎の見栄えを悪くすることもない。
【０００８】
上記プレキャスト基礎の吊り上げ方法において、前記支持部材は両切りボルトであり、この両切りボルトの両端にナット部材を装着するようにしてもよい。
【０００９】
また、この発明のプレキャスト基礎は、偏平な略立方体形状をなすプレキャスト基礎であって、下部側の両端近傍両面に短辺方向にナット部材が埋め込まれていることを特徴とする。そして、この発明のプレキャスト基礎の吊り上げ方法は、上記プレキャスト基礎の前記ナット部材にボルト部を有する支持部材をねじ込み、各支持部材の端部に綱状部材を連結してプレキャスト基礎を吊り上げることを特徴とする。
【００１０】
上記の構成であれば、プレキャスト基礎はその下部側の両端近傍部位に位置するボルト部を有する支持部材にて持ち上げられるように吊り上げられるため、その上面にて吊り上げる場合の傾きや揺れ動きを防止できることになり、しかも、プレキャスト基礎はその両側においてそれぞれ綱状部材にて挟まれて安定的に支持されるから、当該プレキャスト基礎を所定位置にきっちりと据え置くことが容易になり、作業時間の短縮化が図れる。また、ナット部材はプレキャスト基礎の下部側にあるため、プレキャスト基礎の設置後に断面Ｔ字状基礎とするために補填されるコンクリートにて隠されることになり、基礎の見栄えを悪くすることもない。
【００１１】
プレキャスト基礎には、その上端面にアンカーボルトが突出していてもよい。このようなプレキャスト基礎の吊り上げ方法においては、そのアンカーボルトに嵌合することで移動規制され且つ前記綱状部材とプレキャスト基礎との間に介在することになる付加部材を設けてプレキャスト基礎を吊り上げるのがよい。これによれば、綱状部材とプレキャスト基礎とが擦れることでプレキャスト基礎に欠けが生じるといった事態を防止できる。また、上記付加部材において前記綱状部材に接する部位を面取りしたり、硬度の低いものを用いる等、綱状部材の傷付き防止処置が施されているのがよい。
【００１２】
【発明の実施の形態】
以下、この発明の実施形態のプレキャスト基礎及びその吊り上げ方法を図１乃至図３に基づいて説明していく。
【００１３】
図１（ａ）はプレキャスト基礎１の斜視図であり、同図（ｂ）は、プレキャスト基礎１の断面図である。このプレキャスト基礎１は偏平な略立方体形状を成しており、その上端面からは、家屋の土台固定用のアンカーボルト１２が突出している。そして、このプレキャスト基礎１の下部側の両端近傍部位には、短辺方向（厚み方向）に貫通穴１１・１１が形成されている。貫通穴１１・１１の間隔はは後述する吊り上げ時における安定度を勘案して決定すればよい。また、プレキャスト基礎１の下面から貫通穴１１・１１までの高さは、基礎全体を断面逆Ｔ字状とするためのコンクリート打設において、当該貫通穴１１・１１が隠れるような高さとしている。
【００１４】
図２（ａ）はプレキャスト基礎１の吊り上げ状態の斜視図であり、同図（ｂ）は、プレキャスト基礎１の吊り上げ状態の断面図である。この吊り上げ作業を行うときには、まず、プレキャスト基礎１の前記貫通穴１１・１１に棒状の両切りボルト（支持部材）１３をそれぞれ差し込む。そして、両切りボルト１３の両端にアイナット１４を装着する。各アイナット１４にワイヤー１６の先端に設けたフック１５を係合させることで、吊り上げ準備が整う。ワイヤー１６を図示しないクレーンにより引き上げることで、プレキャスト基礎１は吊り上げられ、このプレキャスト基礎１を設置位置へ移動させて据え付けることになる。
【００１５】
上記のごとく、プレキャスト基礎１の下部側の両端近傍部位に貫通穴１１・１１が形成されており、この貫通穴１１・１１に両切りボルト１３を挿通して吊り上げるため、プレキャスト基礎１はその下部側の両端近傍部位にて持ち上げられるように吊り上げられるかたちとなり、その上面にて吊り上げる場合の傾きや揺れ動きが防止され、しかも、プレキャスト基礎１はその両側からそれぞれ２本のワイヤー１６にて挟まれて安定的に支持されることになるから、当該プレキャスト基礎１を所定位置にきっちりと据え置くことが行い易くなる。また、貫通穴１１・１１はプレキャスト基礎１の下部側にあるため、プレキャスト基礎の設置後に断面逆Ｔ字状基礎とするために打設されるコンクリートにて隠されることになり、基礎の見栄えを悪くすることもない。
【００１６】
なお、前記両切りボルト１３の端部に高ナット又は鍔部を有するハット型の高ナットを装着し、かかる高ナットにアイボルトを装着するようにしてもよい。また、両切りボルト１３に代えて貫通穴１１にナット部材を差し込み、このナット部材にアイボルトを装着するようにしてもよいものである。また、アイボルトのボルト部分を長くし、これを支持部材として貫通穴１１に差し込み、貫通穴１１から突出させた前記ボルト部分の先端にアイナットを装着するようにしてもよい。また、貫通穴１１の径を比較的大きくし、両端に係止用穴を有する棒状の部材をこの大径の貫通穴に差し込み、前記係止用穴にフックを連結できるようにし、アイボルトやアイナットを不要とする構成を採用してもよいものである。また、綱状部材としてワイヤーを用いたが、これに限るものではない。綱状部材には樹脂繊維から成るロープや帯状部材、或いは鋼製の棒状部材等が含まれる。
【００１７】
図３（ａ）はプレキャスト基礎１の吊り上げの他の例を示した斜視図であり、同図（ｂ）は、同断面図である。この吊り上げ例では、プレキャスト基礎１のアンカーボルト１２に嵌合することで移動規制され且つワイヤー１６とプレキャスト基礎１の上部角との間に介在することになる付加部材１７を設けてプレキャスト基礎１を吊り上げている。付加部材１７は、例えば鋼製の板材を加工して成るものであり、前記アンカーボルト１２の配置間隔及び直径に対応した二つの貫通丸穴１７ａ・１７ａと、プレキャスト基礎１の厚み方向（短辺方向）に凹を成す２つのＵカット部１７ｂ・１７ｂとを有する。Ｕカット部１７ｂはワイヤー１６を係止する部分となる。また、２つのＵカット部１７ｂ・１７ｂ間の非カット部分の距離は、プレキャスト基礎１の厚み（短辺方向長さ）よりも長い。
【００１８】
これによれば、ワイヤー１６とプレキャスト基礎１の上部角とが擦れることでプレキャスト基礎１に欠けが生じるといった事態を防止できることになる。また、Ｕカット部１７ｂにてワイヤー１６が係止されるため、吊り上げの安定度も増す。なお、付加部材１７において前記ワイヤー１６に接する部位に面取りを行ったり、当該接触部位の硬度をワイヤー１６よりも低くする等、ワイヤー１６の傷つき防止処置を施しておくのが望ましい。
【００１９】
なお、以上の説明では、プレキャスト基礎１の下部側の両端近傍部位に貫通穴１１を形成しており、この貫通穴に挿通する支持部材（両切りボルト等）は据付後に取り除くことになるが、プレキャスト基礎１の下部側の両端近傍両面に短辺方向にナット部材を埋め込んでこれを固着しておき、このナット部材は取り外さないこととしてもよいものである。すなわち、上記貫通穴に限定されないものである。この場合、前記ナット部材にアイボルト等を装着することで、前述した吊り上げ法と同様にプレキャスト基礎１の吊り上げを行うことができる。
【００２０】
【発明の効果】
以上説明したように、この発明によれば、プレキャスト基礎は下部側の両端近傍部位にて持ち上げられるように吊り上げられるため、その上面にて吊り上げる場合の傾きや揺れ動きを防止できることになり、しかも、プレキャスト基礎はその両側からそれぞれ綱状部材にて挟まれて安定的に支持されるから、当該プレキャスト基礎を所定位置にきっちりと据え置くことが容易に行える。また、貫通穴等はプレキャスト基礎の下部側にあるため、プレキャスト基礎の設置後に断面逆Ｔ字状基礎とするために打設されるコンクリートにて隠されることになり、基礎の見栄えを悪くすることもない。また、付加部材を用いる構成であれば、プレキャスト基礎の傷つきを防止できるという効果を奏する。
【図面の簡単な説明】
【図１】この発明の実施形態を示す図であって、同図（ａ）はプレキャスト基礎の斜視図であり、同図（ｂ）は同断面図である。
【図２】この発明の実施形態を示す図であって、同図（ａ）はプレキャスト基礎の吊り上げ状態の斜視図であり、同図（ｂ）は同断面図である。
【図３】この発明の実施形態を示す図であって、同図（ａ）はプレキャスト基礎の吊り上げ状態の他の例を示す斜視図であり、同図（ｂ）は同断面図である。
【図４】従来例を示す図であって、同図（ａ）はプレキャスト基礎を示した斜視図であり、同図（ｂ）はプレキャスト基礎の吊り上げ状態の斜視図である。
【符号の説明】
１    プレキャスト基礎
１１  貫通穴
１２  アンカーボルト
１３  両切りボルト
１４  アイナット
１５  フック
１６  ワイヤー
【図１】
0003806021.tif 000002
【図２】
0003806021.tif 000003
【図３】
0003806021.tif 000004
【図４】
0003806021.tif 000005